(57)【要約】【課題】燃料ガスの供給量が変更された場合でも、適切な燃焼状態を実現可能な燃焼装置を提供する。【解決手段】混合ガスに点火して燃焼運転を開始すると、燃焼状態を検出して燃料ガスまたは燃焼用空気の供給量を補正する。また、その補正量を燃料ガスの供給量に対応付けて記憶しておく。そして、混合ガスの生成に際しては、燃料ガスの供給量に応じた補正量で燃料ガスまたは燃焼用空気の供給量を補正する。こうすれば、燃料ガスの供給量によって必要な補正量が異なる場合に、燃料ガスの供給量が変更されると、変更後の燃料ガスの供給量に応じた補正量で燃料ガスまたは燃焼用空気の供給量が適切に補正されるので、混合ガスを適切な空燃比で燃焼させることができる。【選択図】図６
2014081166.tif 000002
【特許請求の範囲】
【請求項１】
燃料ガスの供給量および燃焼用空気の供給量を制御しながら該燃料ガスと該燃焼用空気との混合ガスを生成する混合ガス生成手段と、
前記混合ガスに点火して燃焼運転を開始する燃焼運転開始手段と、
前記混合ガスの燃焼状態を検出する燃焼状態検出手段と、
前記燃焼状態に応じて、前記燃料ガスまたは前記燃焼用空気の供給量を補正する補正手段と、
前記供給量の補正量を記憶する補正量記憶手段と
を備える燃焼装置において、
前記補正量記憶手段は、前記補正量を、前記燃料ガスの供給量に対応付けて記憶しており、
前記混合ガス生成手段は、前記燃料ガスの供給量に応じた前記補正量で前記燃料ガスまたは前記燃焼用空気の供給量が補正された前記混合ガスを生成する
ことを特徴とする燃焼装置。
【請求項２】
請求項１に記載の燃焼装置において、
前記燃料ガスの供給量と前記燃焼用空気の供給量との対応関係として、該燃料ガスの供給量が第１供給量である時の該燃焼用空気の供給量の設定値、および該燃料ガスの供給量が該第１供給量よりも多い第２供給量である時の該燃焼用空気の供給量の設定値を記憶する対応関係記憶手段を備え、
前記補正量記憶手段は、前記燃料ガスの供給量が前記第１供給量の時の前記補正量を第１補正量として記憶し、前記燃料ガスの供給量が前記第２供給量の時の前記補正量を第２補正量として記憶しており、
前記混合ガス生成手段は、前記燃料ガスの供給量から前記対応関係に応じて定まる前記燃焼用空気の供給量を、前記第１供給量での前記第１補正量と前記第２供給量での前記第２補正量とを補間することで得られた補正量で補正することによって、前記混合ガスを生成する
ことを特徴とする燃焼装置。
【請求項３】
請求項２に記載の燃焼装置において、
前記補正量記憶手段は、前記燃料ガスの供給量が前記第１供給量よりも多く且つ前記第２供給量よりも少ない時の前記補正量は、該供給量から前記第１供給量までの偏差と該供給量から前記第２供給量までの偏差との比率に従って、前記第１補正量および前記第２補正量に分配して記憶する
ことを特徴とする燃焼装置。
【請求項４】
請求項１ないし請求項３の何れか一項に記載の燃焼装置において、
前記燃焼状態検出手段は、前記混合ガスの点火時には該混合ガスの着火の有無を検出しており、
前記補正手段は、前記混合ガスの着火の有無に応じて、前記燃料ガスまたは前記燃焼用空気の供給量を補正する
ことを特徴とする燃焼装置。
【発明の詳細な説明】
【技術分野】
【０００１】
本発明は、燃料ガスと燃焼用空気とを混合させて生成した混合ガスを燃焼させる燃焼装置に関する。
【背景技術】
【０００２】
給湯装置や暖房装置には、燃料ガスと燃焼用空気とを混合させて生成した混合ガスを燃焼させる燃焼装置が搭載されている。燃焼装置で混合ガスを適切に燃焼させるには、燃料ガスと燃焼用空気とを適切な比率（空燃比）で混合させる必要がある。そこで、燃焼装置の出荷前には、燃料ガスの供給量が第１供給量の低負荷時と、燃料ガスの供給量が第２供給量（＞第１供給量）の高負荷時との少なくとも２点で、それぞれ適切な空燃比が得られるように燃料ガスの供給量と燃焼用空気の供給量との対応関係を調整する作業（調圧作業）が行われている。燃焼装置の使用時には、燃料ガスの供給量が決定されると、その燃料ガスの供給量に対する燃焼用空気の供給量を、低負荷時および高負荷時の燃焼用空気の供給量（２点の調圧値）から補間することで求めることができる。
【０００３】
また、混合ガスの燃焼状態を検出する燃焼状態検出手段として熱電対を備えた燃焼装置が知られている（例えば、特許文献１）。混合ガスが燃焼したときの火炎の温度（燃焼状態）は、混合ガスの空燃比と対応しているので、熱電対の検出値が基準値となるように燃料ガスあるいは燃焼用空気の少なくとも一方の供給量を補正すれば、混合ガスの空燃比をより適切に制御することができる。また、その補正量を記憶しておくことにより、次回の燃焼では、記憶しておいた補正量に基づいて点火時から燃料ガスあるいは燃焼用空気の供給量を補正することができる。
【先行技術文献】
【特許文献】
【０００４】
【特許文献１】特開平８−１４５５２号公報
【発明の概要】
【発明が解決しようとする課題】
【０００５】
しかしながら、こうした燃焼装置では、前回の燃焼時に記憶された補正量に基づいて補正を行っても適切な空燃比とならないことがあり、その結果、燃焼不良や失火が発生するという問題があった。こうした不具合は、補正量の記憶時とは燃料ガスの供給量が変更されている場合に発生し得ることから、その原因としては、燃料ガスの供給量が変化すると、必要な燃焼用空気の供給量が変化するだけでなく、必要とされる補正量も変化していることが考えられ、記憶された補正量に基づいて一律に補正したのでは、燃料ガスの供給量によっては不適切な補正となってしまうことがある。
【０００６】
この発明は従来の技術における上述した課題に対応してなされたものであり、燃料ガスの供給量が変更された場合でも、適切な燃焼状態を実現することが可能な燃焼装置の提供を目的とする。
【課題を解決するための手段】
【０００７】
上述した課題を解決するために本発明の燃焼装置は次の構成を採用した。すなわち、
燃料ガスの供給量および燃焼用空気の供給量を制御しながら該燃料ガスと該燃焼用空気との混合ガスを生成する混合ガス生成手段と、
前記混合ガスに点火して燃焼運転を開始する燃焼運転開始手段と、
前記混合ガスの燃焼状態を検出する燃焼状態検出手段と、
前記燃焼状態に応じて、前記燃料ガスまたは前記燃焼用空気の供給量を補正する補正手段と、
前記供給量の補正量を記憶する補正量記憶手段と
を備える燃焼装置において、
前記補正量記憶手段は、前記補正量を、前記燃料ガスの供給量に対応付けて記憶しており、
前記混合ガス生成手段は、前記燃料ガスの供給量に応じた前記補正量で前記燃料ガスまたは前記燃焼用空気の供給量が補正された前記混合ガスを生成する
ことを特徴とする。
【０００８】
燃焼装置では、燃料ガスの供給量が変化すると、対応する燃焼用空気の供給量が変化するだけでなく、必要な補正量も変化することがある。そのため、燃料ガスの供給量が変更されたのに、変更前の補正量を一律に適用して燃料ガスあるいは燃焼用空気の供給量を補正したのでは、適切な空燃比とならず燃焼不良や失火が発生し得る。これに対して、本発明の燃焼装置では、補正量が燃料ガスの供給量に対応付けて記憶されており、燃料ガスの供給量が変更されると、変更後の燃料ガスの供給量に応じた補正量で燃料ガスまたは燃焼用空気の供給量が適切に補正されるので、適切な空燃比で混合された混合ガスを適切に燃焼させることができる。
【０００９】
また、上述した本発明の燃焼装置においては、次のようにしてもよい。先ず、燃料ガスの供給量と燃焼用空気の供給量との対応関係として、燃料ガスの供給量が第１供給量である時の燃焼用空気の供給量の設定値、および燃料ガスの供給量が第２供給量（＞第１供給量）である時の燃焼用空気の供給量の設定値を記憶しておく。また、燃料ガスの供給量が第１供給量の時の補正量を第１補正量として記憶し、燃料ガスの供給量が第２供給量の時の補正量を第２補正量として記憶しておく。そして、混合ガスの生成に際しては、燃料ガスの供給量から対応関係に応じて定まる燃焼用空気の供給量を、第１供給量での第１補正量と第２供給量での第２補正量とを補間することで得た補正量で補正してもよい。
【００１０】
こうすれば、第１供給量での第１補正量および第２供給量での第２補正量さえ記憶しておけば、第１供給量と第２供給量との間（中間領域）にある燃料ガスの供給量に対応する補正量を細かく記憶しておかなくてもよいので、燃料ガスの供給量の変更に伴って燃焼用空気の供給量を適切な補正量で補正することを簡便に実現することができる。
【００１１】
また、上述した本発明の燃焼装置においては、燃料ガスの供給量が第１供給量よりも多く第２供給量よりも少ない時に補正が行われたら、その補正量を、現在の供給量から第１供給量までの偏差と現在の供給量から第２供給量までの偏差との比率に従って、第１補正量および第２補正量に分配して記憶してもよい。
【００１２】
燃料ガスの供給量は、必ずしも第１供給量あるいは第２供給量に設定されるとは限らない。しかし、このように補正量を分配すれば、燃料ガスの供給量が第１供給量から第２供給量までの中間領域に設定される燃焼運転が繰り返された場合でも、第１補正量および第２補正量の記憶を適切に更新することができる。
【００１３】
また、こうした本発明の燃焼装置では、混合ガスの点火時に混合ガスの着火の有無を検出することとして、混合ガスの着火の有無に応じて、燃料ガスまたは燃焼用空気の供給量を補正してもよい。
【００１４】
こうすれば、点火時にも、着火の有無に応じて燃料ガスまたは燃焼用空気の供給量を補正することができるので、混合ガスに着火することが可能となる。
【図面の簡単な説明】
【００１５】
【図１】本実施例の燃焼装置１００を備えた給湯装置１の構成を示す説明図である。
【図２】本実施例の燃焼制御処理のフローチャートである。
【図３】燃料ガス供給量とファン回転速度との対応関係を概念的に示した説明図である。
【図４】ファン回転速度の補正係数と燃料ガス供給量との対応関係を概念的に示した説明図である。
【図５】燃焼制御処理内で実行される燃焼開始処理のフローチャートである。
【図６】燃焼制御処理内で実行される補正係数更新処理のフローチャートである。
【図７】燃焼制御処理を実行することにより、混合ガスを適切に燃焼させることができる理由を示した説明図である。
【発明を実施するための形態】
【００１６】
図１は、本実施例の燃焼装置１００を搭載した給湯装置１の構成を示す説明図である。給湯装置１は、ハウジング１０と、ハウジング１０内に収容された燃焼装置１００と、ハウジング１０内で燃焼装置１００の上方に設けられた熱交換器２００などを備えている。
【００１７】
燃焼装置１００は、燃料ガスと燃焼用空気との混合ガスを燃焼させるバーナー１１０と、バーナー１１０に燃料ガスを供給するガス通路１１２と、バーナー１１０に燃焼用空気を供給する燃焼ファン１２０と、混合ガスに点火してバーナー１１０での燃焼を開始する点火プラグ１３０と、バーナー１１０での燃焼状態を検出する熱電対１４０などを備えている。ハウジング１０内には燃焼缶２０が設けられており、バーナー１１０、点火プラグ１３０、および熱電対１４０は、熱交換器２００と共に燃焼缶２０の中に収容されている。また、ガス通路１１２には、ガス通路１１２を開閉する電磁弁１１４と、ガス通路１１２を通過する燃料ガスの流量を制御する比例弁１１６とが設けられている。さらに、燃焼装置１００には、燃焼を制御するコントローラー１５０が搭載されており、電磁弁１１４、比例弁１１６、燃焼ファン１２０、点火プラグ１３０、熱電対１４０などがコントローラー１５０に接続されている。このコントローラー１５０には、各種設定を記憶するメモリ１５２が内蔵されている。尚、本実施例の点火プラグ１３０は、本発明の「燃焼運転開始手段」に相当し、本実施例の熱電対１４０は、本発明の「燃焼状態検出手段」に相当している。
【００１８】
熱交換器２００は、バーナー１１０からの燃焼排気が間を通過する複数枚の熱交換フィン２０２と、複数枚の熱交換フィン２０２を何度も貫通するように蛇行する通水管２０４とを備えている。通水管２０４には、通水管２０４の内部の水の流れを検出する水流センサー２０６が設けられており、この水流センサー２０６はコントローラー１５０に接続されている。また、熱交換器２００を通過した燃焼排気は、燃焼缶２０の上部に設けられた排気筒３００からハウジング１０の外部に排出される。
【００１９】
このような構成を有する給湯装置１では、通水管２０４に水が流れると、バーナー１１０で混合ガスの燃焼が開始されて、通水管２０４を流れる水が熱交換器２００で燃焼排気によって加熱された後、湯となって外部に流出する。このとき、バーナー１１０で混合ガスを適切に燃焼させるには、燃焼用空気と燃料ガスとを適切な比率（空燃比）で混合する必要がある。このようにバーナー１１０での燃焼を開始するための制御や、バーナー１１０での燃焼状態を適切に保つための制御は、コントローラー１５０が以下のような燃焼制御処理を行うことによって実現されている。
【００２０】
図２は、コントローラー１５０が行う燃焼制御処理を示すフローチャートである。この処理は、図示しない給湯カランを給湯装置１の使用者が開いて通水管２０４に水が供給されると、通水管２０４に設けられた水流センサー２０６で水の流れが検出されることによって開始される。
【００２１】
燃焼制御処理を開始すると、まず初めに、燃焼開始時（点火時）の燃料ガスの供給量を決定する（ＳＴＥＰ１００）。燃料ガス供給量は、水流センサー２０６で検出された水の流量や、図示しない設定スイッチを給湯装置１の使用者が操作して設定された給湯温度などを参照し、単位時間あたりに必要とされる熱量に応じて決定する。続いて、決定した点火時の燃料ガス供給量に対して必要な燃焼用空気の供給量が得られるように、その燃料ガス供給量に対応する燃焼ファン１２０の回転速度（以下、「ファン回転速度」と呼ぶ）と、ファン回転速度を調整する補正係数とを決定する（ＳＴＥＰ１０２）。前述したように混合ガスの空燃比は適切に制御する必要があることから、本実施例の燃焼装置１００では、燃料ガス供給量とファン回転速度との対応関係がコントローラー１５０のメモリ１５２に予め記憶されている。また、後述のようにバーナー１１０での燃焼状態に基づいてファン回転速度を補正した場合は、その補正係数がメモリ１５２に記憶される。
【００２２】
図３は、メモリ１５２に記憶されている燃料ガス供給量とファン回転速度との対応関係を概念的に示した説明図である。給湯装置１の出荷前には、燃料ガス供給量が第１供給量ＱＬｏの低負荷時と、燃料ガス供給量が第２供給量ＱＨｉ（＞第１供給量ＱＬｏ）の高負荷時との少なくとも２点で、適切な空燃比が得られるようにファン回転速度（空気供給量）に対して燃料ガス供給量が調整される。この作業は調圧作業と呼ばれる。そして、低負荷時のファン回転速度ＲＬｏに対する燃料ガス供給量ＱＬｏの設定値、および高負荷時のファン回転速度ＲＨｉに対する燃料ガス供給量ＱＨｉの設定値がメモリ１５２に記憶されている。尚、燃料ガス供給量とファン回転速度（燃焼用空気の供給量）との対応関係を記憶している本実施例のメモリ１５２は、本発明の「対応関係記憶手段」に相当している。
【００２３】
コントローラー１５０は、メモリ１５２に記憶されている低負荷時および高負荷時の設定値を読み出して、ＳＴＥＰ１００で決定した燃料ガス供給量Ｑに対するファン回転速度Ｒを、
Ｒ＝ＲＬｏ＋（ＲＨｉ−ＲＬｏ）／（ＱＨｉ−ＱＬｏ）×（Ｑ−ＱＬｏ）…式（１）
から算出する。
【００２４】
また図４は、ファン回転速度の補正係数と燃料ガス供給量との対応関係を概念的に示した説明図である。本実施例では、給湯装置１の出荷前の調圧作業と同様に低負荷時および高負荷時の２点について、ファン回転速度の補正係数が燃料ガス供給量に対応付けてメモリ１５２に記憶されている。そのため、コントローラー１５０は、低負荷時の燃料ガス供給量ＱＬｏに対応する補正係数ＣＬｏと、高負荷時の燃料ガス供給量ＱＨｉに対応する補正係数ＣＨｉとを読み出して、ＳＴＥＰ１００で決定した燃料ガス供給量Ｑに対応する補正係数Ｃを、
Ｃ＝ＣＬｏ＋（ＣＨｉ−ＣＬｏ）／（ＱＨｉ−ＱＬｏ）×（Ｑ−ＱＬｏ）…式（２）
から算出する。こうして点火時の燃料ガス供給量に対するファン回転速度および補正係数を決定したら、バーナー１１０で燃焼を開始するための処理（燃焼開始処理）を実行する（ＳＴＥＰ１１０）。尚、本実施例のファン回転速度の補正係数は、本発明の「補正量」に相当しており、補正係数を記憶している本実施例のメモリ１５２は、本発明の「補正量記憶手段」に相当している。また、本実施例の低負荷時の補正係数ＣＬｏは、本発明の「第１補正量」に相当しており、本実施例の高負荷時の補正係数ＣＨｉは、本発明の「第２補正量」に相当している。
【００２５】
図５は、燃焼開始処理を示すフローチャートである。燃焼開始処理では、まず初めに、燃焼ファン１２０の回転を開始する（ＳＴＥＰ１１２）。このときの燃焼ファン１２０の回転速度は、ＳＴＥＰ１０２で決定され且つ補正されたファン回転速度に設定され、バーナー１１０には、ファン回転速度に応じた供給量の燃焼用空気が送られる。次に、電磁弁１１４および比例弁１１６を開いてバーナー１１０に燃料ガスの供給を開始する（ＳＴＥＰ１１４）。このときの比例弁１１６の開度は、ＳＴＥＰ１００で決定された燃料ガス供給量に応じた開度に設定される。すると、バーナー１１０では、燃料ガスと燃焼用空気との混合ガスが生成されるので、点火プラグ１３０を用いて混合ガスに点火を行う（ＳＴＥＰ１１６）。尚、ファン回転速度（燃焼用空気の供給量）および燃料ガス供給量の制御はコントローラー１５０が行っていることから、本実施例のコントローラー１５０は、本発明の「混合ガス生成手段」に相当している。
【００２６】
続いて、混合ガスに着火したか否かを判断する（ＳＴＥＰ１１８）。この判断は、図示しないフレームロッドの出力に基づいて行われ、火炎が検出された場合は（ＳＴＥＰ１１８：ｙｅｓ）、燃焼開始処理を終了して、図２の燃焼制御処理に復帰する。
【００２７】
これに対して、火炎が検出されない場合は（ＳＴＥＰ１１８：ｎｏ）、点火回数が所定回数（例えば、３回）に達したか否かを判断する（ＳＴＥＰ１２０）。点火回数が所定回数に達していない場合は（ＳＴＥＰ１２０：ｎｏ）、ファン回転速度を減少させる補正を行う（ＳＴＥＰ１２２）。尚、ファン回転速度を減少させるに際しては、一定量ずつ減少させてもよいし、現行のファン回転速度に対して一定割合だけ減少させてもよい。
【００２８】
ファン回転速度を減少させたら、点火回数に「１」を加算した後（ＳＴＥＰ１２４）、ＳＴＥＰ１１６の処理に戻って混合ガスに再び点火を行い、着火の有無を判断する（ＳＴＥＰ１１８）。そして、着火していなければ（ＳＴＥＰ１１８：ｎｏ）、点火回数を確認し（ＳＴＥＰ１２０）、点火回数が所定回数に達するまではファン回転速度の減少補正や再点火の処理を繰り返す。
【００２９】
混合ガスに着火しない原因としては、例えば、排気筒３００の出口が障害物で塞がれるなどしてファン回転速度が過大に補正され、その後、障害物が取り除かれたために燃焼用空気の供給量が過大となっていることが考えられる。そこで、点火を行っても着火しない場合にはファン回転速度を減少させる補正を行う。これを繰り返せば、適切なファン回転速度（適切な空燃比）に近づくので、混合ガスに着火することができる。また、一度に減少させる補正量を制限して段階的にファン回転速度を減少させるようにすれば、燃焼用空気が極端に不足して着火時の燃焼状態が悪化するのを防ぐことができる。
【００３０】
一方、点火回数が所定回数に達した場合は（ＳＴＥＰ１２０：ｙｅｓ）、何らかの異常（燃料ガスの不足など）が発生したものと判断し、電磁弁１１４および比例弁１１６を閉じてバーナー１１０への燃料ガスの供給を停止すると共に、燃焼ファン１２０の回転を停止する（ＳＴＥＰ１２６）。続いて、図示しない表示部でエラー表示を行うなどによって異常を報知したら（ＳＴＥＰ１２８）、図２の燃焼制御処理に復帰することなく、燃焼開始処理を終了する。
【００３１】
図２の燃焼制御処理では、混合ガスに着火した状態（図５のＳＴＥＰ１１８：ｙｅｓ）で図５の燃焼開始処理から復帰すると、所定時間が経過したか否かを判断する（ＳＴＥＰ１３０）。図１を用いて前述したように燃焼装置１００は、バーナー１１０での燃焼状態を検出する熱電対１４０を備えており、この熱電対１４０の検出値に基づいてファン回転速度を補正する。但し、混合ガスに点火して燃焼を開始した直後は、熱電対１４０が暖まっていないため、火炎の温度に基づく熱電対１４０の検出値に大きな誤差が生じ易い。そこで、バーナー１１０での燃焼開始から熱電対１４０が暖まるまでの所定時間（暖機時間）を設けておき、暖機時間が経過していない場合は（ＳＴＥＰ１３０：ｎｏ）、暖機時間が経過するまでそのまま待機状態となる。
【００３２】
その後、暖機時間が経過したら（ＳＴＥＰ１３０：ｙｅｓ）、熱電対１４０の検出値が基準値（基準範囲内）であるか否かを判断する（ＳＴＥＰ１３２）。そして、熱電対１４０の検出値が基準値から外れている場合は（ＳＴＥＰ１３２：ｎｏ）、熱電対１４０の検出値が基準値となるようにファン回転速度を補正する（ＳＴＥＰ１３４）。例えば、熱電対１４０の検出値が基準値よりも高い場合は、適切な空燃比よりも燃料ガスに対して燃焼用空気が少ないと考えられるので、ファン回転速度を増加させる補正を行う。逆に、熱電対１４０の検出値が基準値よりも低い場合は、適切な空燃比よりも燃料ガスに対して燃焼用空気が多いと考えられるので、ファン回転速度を減少させる補正を行う。
【００３３】
尚、ファン回転速度を補正するに際しては、熱電対１４０の検出値と基準値との隔たりの大きさに依らず、ファン回転速度を一定量ずつ補正（増加あるいは減少）してもよいし、隔たりに応じた大きさだけ補正してもよい。また、ファン回転速度の補正はコントローラー１５０が行っていることから、本実施例のコントローラー１５０は、本発明の「補正手段」に相当している。
【００３４】
また、ファン回転速度を補正したら、続いて、メモリ１５２に記憶されているファン回転速度の補正係数を更新する処理（補正係数更新処理）を実行する（ＳＴＥＰ１４０）。一方、ＳＴＥＰ１３２の判断において、熱電対１４０の検出値が基準値である場合は（ＳＴＥＰ１３２：ｙｅｓ）、混合ガスの空燃比は適切であると考えられるので、ファン回転速度を補正する必要はなく、ＳＴＥＰ１３４およびＳＴＥＰ１４０の処理を省略する。
【００３５】
図６は、補正係数更新処理を示したフローチャートである。補正係数更新処理では、まず初めに、先のＳＴＥＰ１３４で補正したファン回転速度に対応する補正係数を算出する（ＳＴＥＰ１４２）。この補正係数の算出は、次のようにして行う。先ず、メモリ１５２に記憶されている低負荷時および高負荷時の設定値（図３参照）を用いて前述の式（１）から現在の燃料ガス供給量に対するファン回転速度を求める。そして、ＳＴＥＰ１３４で補正した後のファン回転速度を、式（１）から求めたファン回転速度で除算することによって補正係数を算出する。
【００３６】
続いて、現在の燃料ガス供給量が高負荷時の第２供給量ＱＨｉであるか否かを判断する（ＳＴＥＰ１４４）。その結果、高負荷時の第２供給量ＱＨｉである場合は（ＳＴＥＰ１４４：ｙｅｓ）、メモリ１５２に記憶されている高負荷時の補正係数ＣＨｉを、ＳＴＥＰ１４２で算出した補正係数の値に更新する（ＳＴＥＰ１４６）。その後、補正係数更新処理を終了して、図２の燃焼制御処理に復帰する。
【００３７】
これに対して、現在の燃料ガス供給量が高負荷時の第２供給量ＱＨｉではない場合は（ＳＴＥＰ１４４：ｎｏ）、次に、低負荷時の第１供給量ＱＬｏであるか否かを判断する（ＳＴＥＰ１４８）。その結果、低負荷時の第１供給量ＱＬｏである場合は（ＳＴＥＰ１４８：ｙｅｓ）、メモリ１５２に記憶されている低負荷時の補正係数ＣＬｏを、ＳＴＥＰ１４２で算出した補正係数の値に更新する（ＳＴＥＰ１５０）。その後、補正係数更新処理を終了して、図２の燃焼制御処理に復帰する。
【００３８】
一方、現在の燃料ガス供給量が低負荷時の第１供給量ＱＬｏではない場合は（ＳＴＥＰ１４８：ｎｏ）、補正係数の変化量を、現在の燃料ガス供給量に基づいて高負荷時と低負荷時とに分配する（ＳＴＥＰ１５２）。この分配は、次のようにして行う。先ず、メモリ１５２に記憶されている低負荷時の補正係数ＣＬｏおよび高負荷時の補正係数ＣＨｉ（図４参照）を用いて前述の式（２）から現在の燃料ガス供給量に対応する補正係数を求める。そして、この補正係数をＳＴＥＰ１４２で算出した補正係数から減算することによって補正係数の変化量を算出する。こうして補正係数の変化量ΔＣを算出したら、現在の燃料ガス供給量Ｑに基づいて、高負荷時に分配する補正係数の変化量ΔＣＨｉを、
ΔＣＨｉ＝ΔＣ×（Ｑ−ＱＬｏ）／（ＱＨｉ−ＱＬｏ）…式（３）
から算出する。また、低負荷時に分配する補正係数の変化量ΔＣＬｏを、
ΔＣＬｏ＝ΔＣ×（ＱＨｉ―Ｑ）／（ＱＨｉ−ＱＬｏ）…式（４）
から算出する。
【００３９】
続いて、ＳＴＥＰ１５２で決定した分配に応じて、メモリ１５２に記憶されている高負荷時および低負荷時の補正係数を更新する（ＳＴＥＰ１５４）。すなわち、メモリ１５２に記憶されている高負荷時の補正係数ＣＨｉに、ＳＴＥＰ１５２で高負荷時に分配した補正係数の変化量ΔＣＨｉを加算して記憶すると共に、メモリ１５２に記憶されている低負荷時の補正係数ＣＬｏに、ＳＴＥＰ１５２で低負荷時に分配した補正係数の変化量ΔＣＬｏを加算して記憶する。
【００４０】
給湯装置１の使用時において、燃料ガス供給量は必ずしも低負荷時の第１供給量ＱＬｏあるいは高負荷時の第２供給量ＱＨｉに設定されるとは限らない。そこで、補正係数の変化量を、現在の燃料ガス供給量に基づいて高負荷時と低負荷時とに分配すれば、燃料ガス供給量が第１供給量ＱＬｏよりも大きく第２供給量よりも小さい中間領域に設定される燃焼運転が繰り返された場合でも、高負荷時および低負荷時の補正係数の記憶を適切に更新することができる。こうして高負荷時および低負荷時の補正係数を更新すると、補正係数更新処理を終了して、図２の燃焼制御処理に復帰する。
【００４１】
図２の燃焼制御処理では、ＳＴＥＰ１４０の補正係数更新処理（図６）から復帰するか、あるいはＳＴＥＰ１３２の判断で熱電対１４０の検出値が基準値であってＳＴＥＰ１３４およびＳＴＥＰ１４０の処理を省略すると、続いて、燃料ガス供給量が変更されたか否かを判断する（ＳＴＥＰ１６０）。この判断は、水流センサー２０６で検出される水の流量や給湯装置１の使用者によって設定される給湯温度などの変化を検出することによって行い、水の流量あるいは給湯温度が変化したら、その変化に応じた燃料ガス供給量に変更される。
【００４２】
そして、燃料ガス供給量が変更された場合は（ＳＴＥＰ１６０：ｙｅｓ）、変更後の燃料ガス供給量に対応するファン回転速度および補正係数を決定する（ＳＴＥＰ１６２）。このＳＴＥＰ１６２の処理は、点火時の燃料ガス供給量に対応するファン回転速度および補正係数を決定するＳＴＥＰ１０２の処理と基本的には同じである。すなわち、メモリ１５２に記憶されている低負荷時および高負荷時の設定値を用いて式（１）から変更後のファン回転速度を算出する。また、メモリ１５２に記憶されている低負荷時および高負荷時の補正係数を用いて式（２）から変更後の補正係数を算出する。続いて、燃焼ファン１２０の回転速度を、ＳＴＥＰ１６２で決定され且つ補正されたファン回転速度に変更する（ＳＴＥＰ１６４）。
【００４３】
一方、燃料ガス供給量が変更されていない場合は（ＳＴＥＰ１６０：ｎｏ）、ファン回転速度を変更する必要はないので、ＳＴＥＰ１６２およびＳＴＥＰ１６４の処理を省略し、続いて、バーナー１１０での燃焼を停止するか否かを判断する（ＳＴＥＰ１６６）。本実施例の給湯装置１では、使用者が給湯カランを閉じると、水流センサー２０６で水の流れが検出されなくなるので、ＳＴＥＰ１６６の判断は、水流センサー２０６で水の流れが検出されているか否かに基づいて行う。
【００４４】
その結果、バーナー１１０での燃焼を停止しない場合は（ＳＴＥＰ１６６：ｎｏ）、ＳＴＥＰ１３２の処理に戻って、熱電対１４０の検出値に基づいてファン回転速度を補正したり、燃料ガス供給量の変更に応じてファン回転速度を変更したりする処理を繰り返す。一方、バーナー１１０での燃焼を停止する場合は（ＳＴＥＰ１６６：ｙｅｓ）、図２の燃焼制御処理を終了する。
【００４５】
図７は、上述の燃焼制御処理を実行することにより、混合ガスを適切に燃焼させることができる理由を示した説明図である。前述したように給湯装置１の出荷前には調圧作業が行われ、低負荷時および高負荷時のファン回転速度に対する燃料ガス供給量の設定値が記憶されている。また、より適切な空燃比となるように熱電対１４０の検出値に基づいてファン回転速度が補正される。そして、例えば、燃料ガス供給量が高負荷時の第２供給量ＱＨｉである時のファン回転速度が補正されたとする。従来の燃焼装置１００では、図７（ａ）に示したように、その補正量（補正係数）を一律に適用して補正が行われるため、燃料ガス供給量が低負荷時の第１供給量ＱＬｏに変更されても、高負荷時の補正係数でファン回転速度が補正される。しかし、実際に必要な補正量（対応する補正係数）は、図７（ｂ）に太い破線で示したように、燃料ガス供給量によって異なることがあるため、この場合には、図７（ａ）のように低負荷時の第１供給量ＱＬｏに対するファン回転速度を高負荷時の補正係数で補正しても、適切な空燃比を得ることができない。
【００４６】
これに対して、本実施例の燃焼装置１００では、燃料ガス供給量が高負荷時の第２供給量ＱＨｉである時の補正係数ＣＨｉと低負荷時の第１供給量ＱＬｏである時の補正係数ＣＬｏとがそれぞれ記憶されており、図７（ｂ）に示したように、低負荷時の第１供給量ＱＬｏに対するファン回転速度は、低負荷時の補正係数ＣＬｏを用いて適切に補正されるので、混合ガスを適切な空燃比で燃焼させることができる。
【００４７】
また、燃料ガス供給量が低負荷時の第１供給量ＱＬｏと高負荷時の第２供給量ＱＨｉとの間（中間領域）である場合には、記憶されている低負荷時の補正係数ＣＬｏと高負荷時の補正係数ＣＨｉとから補間演算によって、対応する補正係数が求められる。このため、低負荷時および高負荷時の補正係数さえ記憶しておけば、中間領域の燃料ガス供給量に対応する補正係数を細かく記憶しておかなくてもよいので、燃料ガス供給量に応じた補正係数でファン回転速度を適切に補正することを簡便に実現することができる。
【００４８】
以上、本実施例の燃焼装置１００について説明したが、本発明は上記の実施例に限られるものではなく、その要旨を逸脱しない範囲において種々の態様で実施することが可能である。
【００４９】
例えば、前述した本実施例では、適切な空燃比とするために、ファン回転速度（燃焼用空気の供給量）を補正することとしているが、ファン回転速度に代えて、比例弁１１６の開度（燃料ガスの供給量）を補正することとしてもよい。
【００５０】
また、前述した実施例では、給湯装置１の出荷前の調圧作業で調整された低負荷時および高負荷時の燃料ガス供給量とファン回転速度との対応関係（図３参照）とは別に、低負荷時および高負荷時の補正係数（図４参照）をメモリ１５２に記憶していた。しかし、熱電対１４０の検出値に基づいてファン回転速度を補正した場合には、補正係数を記憶（更新）するのではなく、メモリ１５２に記憶されているファン回転速度の設定値そのものを更新するようにしてもよい。このようにすれば、メモリ１５２に記憶されている低負荷時および高負荷時の設定値を用いて直ちに補正済のファン回転速度を求めることができる。
【００５１】
また、前述した実施例では、低負荷時および高負荷時の２点について補正係数を記憶していたが、２点に限られるわけではなく、燃料ガス供給量が異なる３点以上で補正係数を記憶しておいてもよい。このように記憶しておく補正係数の点数を増やせば、燃料ガス供給量に応じてファン回転速度をより細かく調整して補正の精度を高めることができる。
【００５２】
また、前述した実施例では、図５の燃焼開始処理において、混合ガスに点火を行っても着火しない場合にはファン回転速度を減少させる補正（ＳＴＥＰ１２２）を行っている。そこで、この減少補正に伴って、図６の補正係数変更処理を実行し、メモリ１５２に記憶されている高負荷時および低負荷時の補正係数を更新することとしてもよい。このようにすれば、点火時の補正の内容を着火後の補正に反映させることが可能となる。
【符号の説明】
【００５３】
１…給湯装置、          １０…ハウジング、      ２０…燃焼缶、
１００…燃焼装置、      １１０…バーナー、      １１２…ガス通路、
１１４…電磁弁、        １１６…比例弁、        １２０…燃焼ファン、
１３０…点火プラグ、    １４０…熱電対、        １５０…コントローラー、
１５２…メモリ、        ２００…熱交換器、      ２０２…熱交換フィン、
２０４…通水管、        ２０６…水流センサー    ３００…排気筒
【図１】
2014081166.tif 000003
【図２】
2014081166.tif 000004
【図３】
2014081166.tif 000005
【図４】
2014081166.tif 000006
【図５】
2014081166.tif 000007
【図６】
2014081166.tif 000008
【図７】
2014081166.tif 000009